(57)【要約】装着者のそれぞれの肩の周りを通過する二つのストラップループ（１０）を含み、ストラップループ（１０）がハーネスの後側でファスナ手段（１１）により相互に連結される子供用ハーネス。ハーネスは、更に、装着者の胸側で支持されるようにハーネスの前側に子供運搬ポーチを含む。ファスナ手段（１１）は、磁石により制御されるストラップに沿った位置、そしてファスナ手段（１１）と結合するストラップ部を介して加わる力の方向に位置するように、ストラップループに沿って容易に滑動するように設計される。ハーネスは、更に、ウエストベルトを含み、ウエストベルトは、ウエストベルトからのファスナ手段の距離を制限するように、ハーネスの後側でファスナ手段（１１）に結合している。背片は概ね三角形であり、三角形の頂点はファスナ手段（１１）に連結され、背片は装着者の背中の下部へ荷重を伝達するように機能する。
2006507888.tif 000002
【特許請求の範囲】
【請求項１】
装着者の胸側上に支持されるようにハーネスの前側に位置決めされた子供運搬ポーチ（１３）を含み、かつ装着者のそれぞれの肩の周りを通過する二つのストラップループ（１０）を含み、前記ストラップループ（１０）がハーネスの後側でファスナ手段（１１）により相互に締結される子供用ハーネスにおいて、
各ストラップループ（１０）のストラップ（１４）が前記ハーネスの後側で前記ストラップループの相互に隣接する縁上に長手方向に延びた厚み部を有する縁（１５）を有し、かつ
前記ファスナ手段（１１）が二つの対峙する縁（１１０）の各々に沿って隣接するストラップループのそれぞれの縁の厚み部を滑動自在に受けるアンダーカット溝（１１２）を有し、それによりストラップループ（１０）のストラップに沿ってファスナ手段を滑動させることを特徴とする、子供用ハーネス。
【請求項２】
前記ファスナ手段のアンダーカット溝を有する縁（１１０）は、相互に対向の曲率を有するように前記ファスナ手段（１１）の平面で湾曲し、湾曲した縁の凹側は相互に反対側を向き、かつ前記アンダーカット溝の長手方向に延びた開口は相互に反対側を向いている、請求項１による子供用ハーネス。
【請求項３】
前記ファスナ手段（１１）はアンダーカット溝を有する縁（１１０）間で湾曲し、かつ装着者の背骨を挟まないように装着者に向かって凹側を有する、請求項１または２による子供用ハーネス。
【請求項４】
前記ストラップループ（１０）は前記ハーネスの前側の下部で共に連結されている、請求項１〜３のいずれか１による子供用ハーネス。
【請求項５】
各前記ストラップループ（１０）は前記ファスナ手段（１１）の下で前記ハーネスの後側に寸法調節要素（１９）を担持し、かつストラップ端（１８）は前記寸法調節要素（１９）から前方下へ延在する、請求項４による子供用ハーネス。
【請求項６】
ウエストベルト（４０）が前記ストラップループの下部へ連結されている、請求項１〜５のいずれか１による子供用ハーネス。
【請求項７】
背片（４７）が、前記ウエストベルト（４０）からの前記ファスナ手段（１１）の上方への距離を制限するように、前記ファスナ手段（１１）と前記ウエストベルト（４０）とを連結している、請求項６による子供用ハーネス。
【請求項８】
前記背片は前記ウエストベルト（４０）の長手の一部を含み、かつ前記ウエストベルト（４０）のループの寸法を調節するための調節器（４２）を介して前記ウエストベルト（４０）のそれぞれの端部（４１）に連結されている、請求項７による子供用ハーネス。
【請求項９】
前記ストラップループおよび前記ウエストベルト（４０）の両端はそれぞれ相互に連結自在の連結要素（２０）に連結されている、請求項１〜８のいずれか１による子供用ハーネス。
【請求項１０】
前記連結要素（２０）は他の連結要素（３０）を介して間接的に相互に対して連結でき、前記他の連結要素（３０）は前片（１３）の下部を担持し、前片（１３）の上側方に配向された部分は前記ストラップループ（１０）の前側にそれぞれのファスナ（１７）に着脱自在に連結するための取付具（１３１）を担持している、請求項９による子供用ハーネス。
【請求項１１】
前記背片は可撓性であり、かつ前記ウエストベルト（４０）と前記ファスナ手段（１１）との間に背片により形成される最大の距離における短縮に反作用するバネ（４８）を含む、請求項７または８による子供用ハーネス。
【発明の詳細な説明】
【技術分野】
【０００１】
本発明は請求項１の序文に記載の種類の子供用ハーネスに関する。
本発明は、従って、装着者の胸側上に支持されるようにハーネスの前側に位置決めされた子供運搬ポーチを含み、かつ装着者のそれぞれの肩の周りを通過する二つのストラップループを含み、前記ストラップループがハーネスの後側でファスナ手段により相互に締結されるハーネスに関する。
【背景技術】
【０００２】
子供の体重はループを形成したショルダストラップを介して装着者の背中に伝達される。
既知子供用ハーネスの一つの欠点は、装着者が背中に受ける荷重が装着者の後側のストラップファスナ手段の位置、ならびにファスナ手段およびその締結点のそれぞれと結合するショルダストラップの部分の引っ張り力に依存することである。
【０００３】
ファスナ手段の位置調節は実行が困難であり、かつ結果として装着者の後側のファスナ手段の場所の変更だけでなく、かかるファスナ手段と結合する部分に対する引っ張り状態の変更は調整困難である。
【０００４】
子供用ハーネスが状況の変化により異なる人（例えばお母さんまたはお父さん）によって使用される場合、装着者が受ける荷重に関して、ストラップのファスナ手段をその時々の装着者に最適な位置へ調節することは困難である。
【発明の開示】
【発明が解決しようとする課題】
【０００５】
本発明の課題は、装着者上の荷重を容易にするように機能する背片を有する子供用ハーネスを提供することにある。
【課題を解決するための手段】
【０００６】
本発明の課題は、本発明の手段により一部または完全に達成される。
本発明は添付の請求項１に記載されている。
本発明の他の形態は従属請求項から理解できる。
【０００７】
本発明の重要な特徴によれば、ファスナ手段は装着者の後側に位置するストラップループの部分に沿って滑動できる。前記ファスナ手段は、それによりファスナ手段に結合したストラップ部分の方向に働く引っ張り力に依存してストラップに沿った所定移動位置に位置決めされる。一実施形態において、各ショルダストラップは厚みのある縁を有してよく、その厚み部はハーネスの後側でストラップの相互に隣接する縁上に形成される。更に、ファスナ手段は二つの対峙する側の各々に沿って隣接するストラップループの縁の厚み部が滑動することのできるアンダーカット溝を有してよい。アンダーカット溝は縁の厚み部に沿ってファスナ手段の滑動抵抗を最小限にするために湾曲していて、ファスナ手段の凹側は装着者の背中に当たらないように装着者の方向を向いている。
【０００８】
本発明の特に好適な形態において、背片によってファスナ手段に連結されるウエストベルトを含む。背片は、従って、ウエストベルトとファスナ手段との間の距離に対して上限を設定する。背片は好適には可撓性であり、かつそれにより変形自在であって、ループの力の相互作用がファスナ手段の移動を促進するときにウエストベルトへのファスナ手段の接近を可能にする。ただし、背片は好適にはウエストベルト、および伸張方向において背片の長さに対応する距離分離れたファスナ手段を伸張するように作用するバネ要素を含む。背片は、好適には、三角形であり、三角形の底辺はウエストベルトに沿って延在し、かつ三角形の頂点はファスナ手段と結合し、そのようにして背片はショルダストラップと装着者の後側との間の空間を概ね充填する。これはポーチで運搬される子供の体重の大部分を装着者の背中に負わせることを可能にする。背片が装着者の背中の下部に位置するので、装着者上の荷重の軽量化に特に効果的である。
【０００９】
背片の下部はウエストベルトの分離部を形成してよく、その場合に、ウエストベルトの背片と結合した部分はそれぞれのウエストベルトの一部の長さを調節できるファスナまたは連結要素によって連結されてよい。ウエストベルトの一部は装着者の前側で連結手段により適宜共に連結され、連結手段はストラップループの下部へ固定されてよい。ループまたはショルダストラップの寸法は調節自在であってよく、この場合、ループの後側には寸法調節要素が設けられ、そのようにしてショルダストラップの端が寸法調節要素の前方のループに沿って下へ延び、それにより装着者によるストラップの把持を容易にし、かつそれを下方へ引っ張ってループの寸法を短縮できる。
【００１０】
ポーチは前片を含んでよく、前片の下部はハーネスの前側のストラップループ間の連結領域へ連結され、それにより前片上に上側方に配向されたファスナはストラップループ上のそれぞれの隣接ファスナへ、ハーネスの前側で着脱自在に適宜連結される。ウエストベルトの連結要素は前片の下部上で他の連結要素を介して相互に間接的に結合できる。ストラップループとウエストベルトの連結要素は他の連結要素へ固く連結されてよい。ただし、選択的に、ストラップループの一部は連結要素上の横断開口を通過してウエストベルトのファスナ要素を通る。
【発明を実施するための最良の形態】
【００１１】
次に添付図面を参照して例示として本発明を詳細に説明する。
【００１２】
図１は、ハーネスを装着する人のそれぞれの肩の周りを通過することが意図された、二つのループ状ショルダストラップ１０を含むハーネスを示す。
【００１３】
ハーネスは、装着者に対して後側に、二つのループの相互に隣接する部分を共に締結する取付具またはファスナ手段１１を有する。図１から理解されるように、ストラップ部１４の相互に隣接する縁は厚み部１５を有する。更に、図２および３から理解されるように、ファスナ手段１１は、厚み部１５を収容するアンダーカット溝１１２を各々が含む二つの対峙する縁１１０を有し、それによりファスナ手段は溝１１２に沿って滑動する。その中に溝を形成している縁１１０は、連結領域でストラップ１４の自然の曲率に適合するように湾曲し、かつそのようにしてファスナ手段１１の縁および溝は相互から離れる方向を向く凹側により湾曲している。ファスナ手段１１は、更に、縁１１０間で湾曲し、その凹側は装着者の背中に向けられ装着者の背骨に圧力を加えないようにする。
【００１４】
縁の厚み部１５がファスナ手段の溝１２へ容易に滑り込むので、ファスナ手段１１は、ストラップ部１４に沿って、かつその力の作用する方向において、ファスナ手段により連結されたストラップ１４の長手部に作用する引っ張り力に依存する位置になる。ファスナ手段１１は、このように、荷重の観点から好ましい位置間を自動的に滑動する。
【００１５】
図１から理解されるように、ハーネスはループ１０の下部に連結された二つの連結要素２０間に延在するウエストベルトを含み、前記下部は装着者の前で連結されることが意図されている。ウエストベルト４０およびショルダループ１０は連結要素２０により適宜連結され、前片１３の下部を担持する他の連結要素３０を介して間接的に相互に連結でき、前片１３の側方に位置する上部は装着者の胸側に概ね垂直に延在するショルダループの前部上の対応するファスナ１７に着脱自在ファスナ１３１により連結できる。
【００１６】
前片１３は子供運搬ポーチを形成する。理解されるように、前片の最下部は細片に形成され、連結要素３０上の担持ピン３５上に固定できる連結要素３０上の移行ループ３２へ伸長し、かつ一連の個別開口１３４を含む。前片１３のストラップ端は移行ループまたはアイレット３２への通過を防止するストップ手段を含んでよい。
【００１７】
ループ１０のストラップ部は連結要素２０へ固く締結されてよい。選択的に、図１に示されたように、ループの一部がその連結要素上のアイレット２１を通過しかつウエストベルト４０の端部４１と融合するものであってよい。ウエストベルトの両端部４１間は、ウエストベルト４０の一部を形成する背片４７上のそれぞれの長さ調節要素４２を介して連結された状態で示されている。背片４７は上方に延在し、かつファスナ手段１１とウエストベルト４０間の距離に対して上限を形成するために連結要素４９によりファスナ手段１１に連結された上端により支持されている。図示事例において、背片４７は三角形であり、それにより装着者上の荷重をショルダストラップ１０とウエストベルト４０との間の領域において装着者の背骨の領域へ背片面から伝達する。
【００１８】
背片４７は、ウエストベルトの周辺へのファスナ手段１１の接近を可能にする可撓性キルト布帛を含んでよい。ただし、一形態において、ファスナ手段１１と背片の下部との間で垂直に延在する強力弾性板バネ４８が設けられ、選択されたバネ特性によりウエストベルト４０の周辺または円周通路に対してファスナ手段１１を終端位置へ向けて付勢するようにする。
【００１９】
理解されるように、各ショルダストラップまたはループ１０は寸法調節要素１９を有し、そこからストラップ端１８が突出している。寸法調節要素１９はハーネスの後側でファスナ要素１１と連結要素２０との間に設置され、かつストラップ端１８は概ね連結要素２０の方向へ延在し、そのようにしてストラップの自由端はループ１０の寸法調節のために装着者が容易に把持できるようになっている。
【図面の簡単な説明】
【００２０】
【図１】フラット面上にフラット状態で設置した赤子用ハーネスを示す。
【図２】図１に示したハーネスの一部を示す。
【図３】図２のIII−III線上の断面図である。
【図１】
2006507888.tif 000003
【図２】
2006507888.tif 000004
【図３】
2006507888.tif 000005
【国際調査報告】
2006507888.tif 000006
2006507888.tif 000007